(57)【要約】【課題】より正確な測定結果を得ることができ、血圧測定の信頼性向上を図ることができる血圧計を実現する。【解決手段】椅子に座って血圧計を胸に当てるように誘導報知する（Ｓ１）。そして、血圧計の本体部に内蔵された加速度センサが心臓の鼓動を検出すると、傾斜センサにより本体部の位置データを検出し、記憶部に格納する（Ｓ２→Ｓ３）。次いで、本体部の姿勢が鉛直であることを示しているか否かを傾斜センサで判断し（Ｓ４）、その答が肯定（Ｙｅｓ）になると、本体部を心臓から離し（Ｓ５→Ｓ６）、次いで、傾斜センサは、本体部が心臓位置と同一高さであることを示しているか否かを判断する（Ｓ７）。その答が否定（Ｎｏ）の場合は、血圧計と心臓の高さが同じとなるように誘導報知し（Ｓ８）、本体部の高さが心臓の高さ位置と同一になったときに血圧測定を実行する（Ｓ７→Ｓ９）。【選択図】図３
2014233529.tif 000002
【特許請求の範囲】
【請求項１】
所定の演算処理を行う制御部が内蔵されると共に測定結果を表示する表示部を備えた本体部と、該本体部に接続されたカフとを有し、該カフを生体の所定部位に装着して血圧を測定する血圧計であって、
前記本体部及び前記カフのうちの少なくともいずれか一方を前記生体に当てて心臓の鼓動を検出する鼓動検出手段と、前記鼓動を検出したときの本体部の姿勢及び高さ位置に基づき、血圧測定時に採るべき前記本体部の姿勢及び高さ位置を推定する推定手段と、血圧測定時における前記本体部の姿勢及び高さ位置が前記推定手段の推定結果と一致するように調整する調整手段とを備えていることを特徴とする血圧計。
【請求項２】
前記調整手段は、前記本体部の高さ位置が前記推定手段によって推定された高さ位置となるように指示する指示手段を有していることを特徴とする請求項１記載の血圧計。
【請求項３】
前記本体部は、測定結果を表示する表示部を有し、
前記指示手段は、前記表示部に文字列を表示して指示することを特徴とする請求項２記載の血圧計。
【請求項４】
前記調整手段は、前記推定手段の推定結果に基づいて前記血圧の測定データを補正する補正手段を有することを特徴とする請求項１記載の血圧計。
【請求項５】
前記鼓動検出手段は、前記心臓の鼓動を振動波形として検出する加速度センサを備えていることを特徴とする請求項１乃至請求項４のいずれかに記載の血圧計。
【請求項６】
圧電体が前記カフに内蔵されると共に、前記圧電体が前記鼓動検出手段を構成していることを特徴とする請求項１乃至請求項４のいずれかに記載の血圧計。
【請求項７】
前記カフを介して前記生体に負荷された圧力を検出する圧力センサを備え、
前記鼓動検出手段は、前記圧力センサと前記カフとで構成されていることを特徴とする請求項１乃至請求項４のいずれかに記載の血圧計。
【請求項８】
前記推定手段は、少なくとも前記本体部の姿勢を検出する傾斜センサを備えていることを特徴とする請求項１乃至請求項７のいずれかに記載の血圧計。
【請求項９】
前記傾斜センサは、前記本体部の高さ位置を検出することを特徴とする請求項８記載の血圧計。
【請求項１０】
前記推定手段は、前記本体部の高さ位置を検出する気圧センサを備えていることを特徴とする記載の請求項１乃至請求項８のいずれかに記載の血圧計。
【請求項１１】
前記所定部位は、手首であることを特徴とする請求項１乃至請求項１０のいずれかに記載の血圧計。
【発明の詳細な説明】
【技術分野】
【０００１】
本発明は血圧計に関し、より詳しくはカフを手首に装着して血圧を測定する手首式の血圧計に関する。
【背景技術】
【０００２】
近年、高血圧を要因とする生活習慣病の早期発見や血圧管理のために血圧計が広く普及しており、最近ではカフを手首に装着して手軽に血圧を測定することができる手首式血圧計が開発されている。
【０００３】
例えば、特許文献１には、血圧の測定値を表示するための表示部を有する本体部と、前記本体部内または前記表示部内に配置され、かつ少なくとも２軸の角度を測定可能な２軸角度測定センサとを備え、前記表示部の表示面と前記２軸角度測定センサの搭載面とのなす角度が、血圧の測定時に所定の角度で固定されている電子血圧計が提案されている。
【０００４】
手首式血圧計の場合、血圧計の表示面を垂直に見ようとすると、手首を捻ってしまうため、捻じれ角度よって心臓と手首との間の高低差が異なる。すなわち、血圧は、心臓から送り出された血液が血管に流れるときの抵抗圧力を示すものであるが、手首を捻じってしまうと、捻じれ角度よって心臓と手首との間の高低差が異なり、このため測定精度にバラツキが生じるおそれがある。
【０００５】
そこで、特許文献１では、２軸角度測定センサを本体部に搭載し、前腕の角度が所定範囲となるように誘導報知し、心臓と手首との間の高低差を一定にし、これにより血圧を測定しようとしている。
【先行技術文献】
【特許文献】
【０００６】
【特許文献１】特許３７００６３５号公報（請求項１、図５等）
【発明の概要】
【発明が解決しようとする課題】
【０００７】
ところで、血圧は、上述したように心臓から送り出された血液が血管に流れるときの抵抗圧力を示すものであり、血圧の測定位置が心臓よりも低い場合は、測定値は高くなり、血圧の測定位置が心臓よりも高い場合は、測定値は低くなる。したがって、血圧の正確な測定値を得るためには、心臓の高さ位置で血圧を測定する必要がある。
【０００８】
しかしながら、特許文献１では、心臓と手首との間の高低差を一定にしようとしているものの、心臓と手首との間には高低差があり、また、心臓の高さ位置を直接検出していないため、心臓の高さ位置を仮定して測定結果を表示せざるを得ない。また、血圧計の測定値は、測定姿勢によっても異なるが、特許文献１では測定姿勢を考慮していないため、測定姿勢に起因した測定結果のバラツキが生じるおそれがある。
【０００９】
このように特許文献１では、心臓と手首との間には高低差があり、心臓の高さ位置や測定姿勢を直接センサ類で検出しておらず、このため正確な血圧値を測定するのは困難であり、測定結果の信頼性に欠けていた。
【００１０】
本発明はこのような事情に鑑みなされたものであって、より正確な測定結果を得ることができ、血圧測定の信頼性向上を図ることができる血圧計を提供することを目的とする。
【課題を解決するための手段】
【００１１】
上記目的を達成するために本発明に係る血圧計は、所定の演算処理を行う制御部が内蔵されると共に測定結果を表示する表示部を備えた本体部と、該本体部に接続されたカフとを有し、該カフを生体の所定部位に装着して血圧を測定する血圧計であって、前記本体部及び前記カフのうちの少なくともいずれか一方を前記生体に当てて心臓の鼓動を検出する鼓動検出手段と、前記鼓動を検出したときの本体部の姿勢及び高さに基づき、血圧測定時に採るべき前記本体部の姿勢及び高さ位置を推定する推定手段と、血圧測定時における前記本体部の姿勢及び高さ位置が前記推定手段の推定結果と一致するように調整する調整手段とを備えていることを特徴としている。
【００１２】
すなわち、血圧測定前に心臓の鼓動を検出し、該鼓動を検出したときの本体部の姿勢及び高さ位置に基づき、血圧測定時に採るべき本体部の姿勢及び高さを推定し、血圧測定時の本体部の姿勢や心臓の高さ位置が推定手段の推定結果と一致するように調整することから、測定姿勢及び心臓の高さ位置に応じた血圧の測定結果を得ることが可能となり、これにより血圧をより正確に測定でき、血圧測定の信頼性向上を図ることができる。
【００１３】
また、本発明の血圧計は、前記調整手段が、前記本体部の高さ位置が前記推定手段によって推定された高さ位置となるように指示する指示手段を有するのが好ましい。
【００１４】
この場合は、血圧測定時の本体部の姿勢や心臓の高さ位置が推定手段の推定結果と一致するように指示した後、血圧を測定することができるので、立位状態又は仰臥状態等の測定姿勢に応じ、心臓高さでの血圧を測定でき、これにより正確な血圧の測定結果を得ることができ、血圧測定の信頼性向上を図ることができる。
【００１５】
また、本発明の血圧計は、前記本体部が、測定結果を表示する表示部を有し、前記指示手段が、前記表示部に文字列を表示して指示するのが好ましい。
【００１６】
また、本発明の血圧計は、前記調整手段が、前記推定手段の推定結果に基づいて前記血圧の測定データを補正する補正手段を有するのが好ましい。
【００１７】
この場合は、血圧を測定した後、推定手段の推定結果に基づいて前記血圧の測定データを補正することができるので、任意の姿勢で血圧を測定しても、所望の正確な血圧値を得ることが可能となり、血圧測定の信頼性向上を図ることができる。
【００１８】
また、本発明の血圧計は、前記鼓動検出手段が、前記心臓の鼓動を振動波形として検出する加速度センサを備えているのが好ましい。
【００１９】
この場合は、本体部を胸に当てることにより、加速度センサは心臓の鼓動を振動波形として容易に検出することができる。
【００２０】
また、本発明の血圧計は、圧電体が前記カフに内蔵されると共に、前記圧電体が前記鼓動検出手段を構成しているのも好ましい。
【００２１】
この場合は、カフを胸に当てることにより、カフに内蔵された圧電体によって心臓の鼓動を容易に検出することができる。
【００２２】
さらに、本発明の血圧計は、前記カフを介して前記生体に負荷された圧力を検出する圧力センサを備え、前記鼓動検出手段は、前記圧力センサと前記カフとで構成されているのが好ましい。
【００２３】
この場合は、カフを加圧状態にして該カフを胸に当てることにより、カフ表面の振動状態を圧力センサによって検出することができ、心臓の鼓動を容易に検出することができる。しかも、カフや圧力センサは血圧計に必須の構成部材であることから、加速度センサや圧電体のような部品を別途搭載する必要もなく、部品点数が増加することもなく、低コストで正確な血圧値を得ることが可能となる。
【００２４】
また、本発明の血圧計は、前記推定手段が、少なくとも前記本体部の姿勢を検出する傾斜センサを備えているのが好ましい。
【００２５】
これにより心臓の鼓動を検出した際の本体部の姿勢（立位状態・仰臥状態等）を容易に推定することができる。
【００２６】
また、本発明の血圧計は、前記傾斜センサは、前記本体部の高さ位置を検出するのが好ましい。
【００２７】
また、本発明の血圧計は、前記推定手段が、前記本体部の高さ位置を検出する気圧センサを備えているのも好ましい。
【００２８】
この場合は、気圧センサで血圧測定前後の絶対圧を測定することにより、測定前後の高さ位置を検出することができ、気圧センサの測定結果に応じて高さ位置を調整することが可能となる。
【００２９】
また、本発明の血圧計は、前記所定部位が、手首であるのが好ましい。
【００３０】
これにより高精度で正確な血圧測定が可能な手首式血圧計を実現することが可能となる。
【発明の効果】
【００３１】
上記血圧計によれば、所定の演算処理を行う制御部が内蔵されると共に測定結果を表示する表示部を備えた本体部と、該本体部に接続されたカフとを有し、該カフを生体の所定部位に装着して血圧を測定する血圧計であって、前記本体部及び前記カフのうちの少なくともいずれか一方を前記生体に当てて心臓の鼓動を検出する加速度センサや圧電体等の鼓動検出手段と、前記鼓動を検出したときの本体部の姿勢及び高さ位置を推定する傾斜センサや気圧センサ等の推定手段と、血圧測定時における前記本体部の姿勢及び高さ位置が前記推定手段の推定結果と一致するように調整する調整手段とを備えているので、血圧測定前に鼓動を検出したときの本体部の姿勢及び高さ位置を推定し、血圧測定時の本体部の姿勢や心臓の高さ位置が推定手段の推定結果と一致するように調整することから、測定姿勢及び心臓の高さ位置に応じた血圧の測定結果を得ることが可能となり、これにより血圧を正確に測定でき、血圧測定の信頼性向上を図ることができる。
【図面の簡単な説明】
【００３２】
【図１】本発明に係る血圧計の一実施の形態（第１の実施の形態）を模式的に示す正面図である。
【図２】第１の実施の形態の制御系を示すブロック構成図である。
【図３】第１の実施の形態の制御手順を示すフローチャートである。
【図４】第２の実施の形態を模式的に示す正面図である。
【図５】第２の実施の形態の制御系を示すブロック構成図である。
【図６】第２の実施の形態の制御手順を示すフローチャートである。
【図７】第３の実施の形態の制御系を示すブロック構成図である。
【図８】第３の実施の形態の制御手順を示すフローチャートである。
【図９】第４の実施の形態の制御系を示すブロック構成図である。
【図１０】第４の実施の形態の制御手順を示すフローチャートである。
【図１１】第５の実施の形態の制御手順を示すフローチャートである。
【図１２】第６の実施の形態の制御手順を示すフローチャートである。
【発明を実施するための形態】
【００３３】
次に、本発明の実施の形態を添付図面を参照しながら詳説する。
【００３４】
〔第１の実施の形態〕
図１は、本発明に係る血圧計としての手首式血圧計の一実施の形態（第１の実施の形態）を模式的に示す正面図である。
【００３５】
この血圧計は、本体部１と、該本体部１に接続されたカフ２とを有し、カフ２が手首に装着されて使用される。
【００３６】
カフ部２は、被測定部位である手首を圧迫する流体袋３と、該流体袋３を外装する布等の伸縮自在な材料で形成された袋状カバー体４とを備え、流体袋３に空気等の流体を供給して手首を圧迫し、動脈圧を検出する。
【００３７】
また、本体部１は、血圧測定の測定条件を設定する設定ボタン５と血圧の測定や停止を指示する測定／停止ボタン６とを備えた操作部７と、各種文字列を表示したり血圧の測定結果を表示する表示部８とを備えている。
【００３８】
さらに、この本体部１には、流体袋３に流体を供給するポンプ９や流体袋３内の圧力を検出する圧力センサ１０等の各種部材が収容され、さらに該本体部１の裏面側には電池収納部（不図示）が設けられている。
【００３９】
尚、この圧力センサ１０は、ダイアフラムが内蔵されると共に、ダイアフラムの一方の主面側は圧力検知ポートを介して流体袋３に接続されると共に、該ダイアフラムの他方の主面側は大気に開放されており、流体袋３内の圧力と大気圧との差を血圧として検出する。
【００４０】
図２は、第１の実施の形態の制御系を示すブロック構成図である。
【００４１】
すなわち、本体部１は、上述した表示部８、ポンプ９及び圧力センサ１０の他、心臓の鼓動を振動波形として検出する加速度センサ（鼓動検出手段）１１と、心臓の鼓動検出時の本体部１の姿勢や高さ位置を推定する傾斜センサ（推定手段）１２と、後述する所定の演算プログラムが格納されると共に、血圧測定のための各種データや血圧測定値を記憶したりワークエリアとして使用される記憶部１３と、電池収容部に収容された本血圧計の駆動源となる電池１４と、これら各構成要素を制御するＭＣＵ等の制御部１５とを備えている。
【００４２】
尚、加速度センサ１１は、検出方式は特に限定されるものではなく、圧電セラミックを使用した圧電型加速度センサ、ＭＥＭＳ（Micro Electro Mechanical System）技術を応用したＭＥＭＳ加速度センサ等、任意の方式の加速度センサを使用することができる。
【００４３】
そして、本血圧計で、心臓の鼓動を加速度センサ１１で検出し、そのときの本体部１の姿勢及び心臓の高さ位置を傾斜センサ１２で推定し、本体部１の姿勢が鉛直のときは、血圧測定時本体部１の高さ位置が鼓動検出位置と同一高さとなるように本体部１を調整した後、血圧測定を実行している。
【００４４】
図３は、上記第１の実施の形態に係る血圧計の制御手順を示すフローチャートである。
【００４５】
まず、図１の設定ボタン５を押してプログラムがスタートすると、ステップＳ１では、「椅子に座って血圧計を胸に当ててください」という文字列が表示部８に表示される。
【００４６】
そして、ステップＳ２では、加速度センサ１１が心臓の鼓動を検出したか否かを判断する。すなわち、心臓は、一定の振動波形を有して動いていることから、加速度センサ１１は振動波形を加速度波形として検出することができる。そして、その答が否定（Ｎｏ）の場合は、加速度センサ１１が心臓の鼓動を検出するまで待機する一方、ステップＳ２の答が肯定（Ｙｅｓ）となって加速度センサ１１が心臓の鼓動を検出すると、本体部１の位置データを傾斜センサ１２で検出し、その位置データを読み込んで記憶部１３に格納する。
【００４７】
次いで、ステップＳ４に進み、傾斜センサ１２が、本体部１の姿勢が鉛直であることを示しているか否かを判断する。すなわち、傾斜センサ１２は、手首の捻じれ角度や本体部１の傾斜角度、被測定者の直立状態からの傾斜角度等を検出し、本体部１の姿勢が鉛直状態を示しているか否かを判断する。その結果、ステップＳ４の答が否定（Ｎｏ）のときは、ステップＳ１に戻り、傾斜センサ１２が本体部１の姿勢が鉛直であることを示すまで、位置データを更新しつつ測定姿勢や本体部１の姿勢を調整する。
【００４８】
一方、ステップＳ４の答が肯定（Ｙｅｓ）、すなわち本体部１の姿勢が鉛直状態を示していると判断された場合は、ステップＳ５に進み、「血圧計を胸から離してください。」という文字列を表示部８に表示し、ステップＳ６に進む。
【００４９】
そして、ステップＳ６では、加速度センサ１１が心臓の鼓動を検出したか否かを判断し、その答が肯定（Ｙｅｓ）の場合は、血圧計を胸から離していない、と判断し、ステップＳ５に戻り、再び血圧計を胸から離すように催促する。
【００５０】
一方、ステップＳ６の答が否定（Ｎｏ）の場合、すなわち、加速度センサ１１が心臓の鼓動を検出しなくなった場合は、ステップＳ７に進み、傾斜センサ１２は、本体部１が鼓動を検出した心臓位置と同一高さであることを示しているか否かを判断する。そして、ステップＳ７の答が肯定（Ｙｅｓ）の場合は、ステップＳ９に進み、測定／停止ボタン６を押して血圧測定を実行する。
【００５１】
一方、ステップＳ７の答が否定（Ｎｏ）の場合は、ステップＳ８に進み、「血圧計と心臓の高さを同じにしてください。」という文字列を表示部８に表示し、ステップＳ７に戻る。そして、本体部１の高さが心臓の高さ位置と同一になるまで、上記処理ステップを繰り返し、ステップＳ７の答が肯定（Ｙｅｓ）になると、ステップＳ９に進み、測定／停止ボタン６を押して血圧測定を実行する。
【００５２】
ステップＳ９の血圧測定は、まず、ポンプ９を駆動させ、流体袋３内に流体を送り込んで加圧し、手首の動脈を圧迫した後、流体袋３内の流体を排気し、そのときの流体袋３内の圧力を圧力センサ１０で検出し、これにより最高血圧、最低血圧、及び脈拍を測定する。
【００５３】
そしてその測定結果が表示部８に表示され、測定／停止ボタン６を押すことにより一連の測定動作が終了する。
【００５４】
このように本第１の実施の形態では、心臓の鼓動を加速度センサ１１で検出した後、本体部１の姿勢及び心臓の鼓動検出位置を傾斜センサ１２で推定し、本体部１の姿勢が鉛直のときは、本体部１の高さ位置が鼓動検出位置と同一高さとなるように本体部１を調整した後、血圧測定を実行しているので、心臓位置と同じ高さにおける血圧を容易かつ正確に測定することができ、これにより正確な血圧値を得ることができ、血圧測定の信頼性向上を図ることができる。
【００５５】
上記実施の形態は、本発明の一例であり、他にも様々な実施の形態が可能である。
【００５６】
以下、他の実施の形態について詳述する。
【００５７】
〔第２の実施の形態〕
図４は、第２の実施の形態を模式的に示す正面図である。
【００５８】
この第２の実施の形態では、圧電フィルム（圧電体）１８がカフ１７に内蔵されると共に、該圧電フィルム１８が制御部１５に接続されている。そして、この圧電フィルム１８が鼓動検出手段を構成している。
【００５９】
すなわち、この第２の実施の形態では、図５のブロック構成図に示すように、圧電フィルム１８の振動によって心臓の鼓動を検出し、該圧電フィルム１８からの信号が、制御部１５に入力されて血圧計の動作が制御される。
【００６０】
図６は、第２の実施の形態の制御手順を示すフローチャートである。
【００６１】
すなわち、この第２の実施の形態では、ステップＳ１′でカフ１７を胸に当てるように誘導報知し、ステップＳ２′で圧電フィルム１８が心臓の鼓動を検出したか否かを判断する。そして、圧電フィルム１８が心臓の鼓動を検出した場合は、第１の実施の形態と同様のステップＳ３〜ステップＳ５の処理を経て、ステップＳ６′で再び圧電フィルム１８が心臓の鼓動を検出したか否かを判断し、以降、第１の実施の形態と同様の処理を経て血圧測定を行っている。
【００６２】
このように本第２の実施の形態では、上記第１の実施の形態で述べた効果に加え、弾性体であるカフ１７を胸に当て、該カフ１７に内蔵された圧電フィルム１８で心臓の鼓動を検出しているので、第１の実施の形態のような剛体である本体部１を胸に当てる必要もなく、血圧計を胸部に接触させても「ゴツゴツ感」がなく心地の良い雰囲気で心臓鼓動の検出を行うことができる。
【００６３】
〔第３の実施の形態〕
図７は、第３の実施の形態の制御系を示すブロック構成図である。
【００６４】
この第３の実施の形態では  鼓動検出手段として第１の実施の形態のような加速度センサや第２の実施の形態のような圧電フィルムを設けずに、加圧されたカフ２と圧力センサ１０で鼓動検出手段を構成している。
【００６５】
図８は、第３の実施の形態の制御手順を示すフローチャートである。
【００６６】
まず、図１の設定ボタン５を押してプログラムがスタートすると、ステップＳ０では、ポンプ９を作動させてカフ２の流体袋３に流体を送り込み、カフ２を加圧状態にする。そして、続くステップＳ１″でカフ２を胸に当てるように誘導報知し、続くステップＳ２″で圧力センサ１０が心臓の鼓動を検出したか否かを判断する。すなわち、カフ２を胸部に当てると、心臓の鼓動によってカフ２の表面が振動する。そして、圧力センサ１０は、斯かるカフ２の振動波形を検出することから、これにより心臓の鼓動を検出することができる。
【００６７】
このようにしてステップＳ２″で圧力センサ１０が心臓の鼓動を検出すると、その後は第１及び第２の実施の形態と同様、ステップＳ３〜ステップＳ５の処理を行い、続くステップＳ６″で再び圧力センサ１０が心臓の鼓動を検出したか否かを判断し、以降、第１及び第２の実施の形態と同様の処理を経て血圧測定を行う。
【００６８】
このように第３の実施の形態では、上記第１の実施の形態で述べた効果に加え、血圧測定時に使用されるカフ２及び圧力センサ１０で心臓の鼓動を検出していることから、第２の実施の形態と同様、心地の良い雰囲気で心臓の鼓動を検出することができると共に、加速度センサや圧電フィルム等の部品が不要となり、部品点数を削減することができ、低コストで高精度の手首式血圧計を得ることができる。
【００６９】
〔第４の実施の形態〕
図９は、第４の実施の形態の制御系を示すブロック構成図である。
【００７０】
この第４の実施の形態では、本体部１に気圧センサ２１が内蔵され、気圧センサ２１で本体部１の高さ位置を推定している。この気圧センサ２１は、ダイアフラムの一方の面上が真空状態とされ、他方の面が大気に接しており、真空との差圧を検出する。
【００７１】
図１０は、第４の実施の形態の制御手順を示すフローチャートである。
【００７２】
まず、図１の設定ボタン５を押してプログラムがスタートすると、第１及び第２の実施の形態と同様、ステップＳ１１で椅子に座って血圧計の本体部１を胸に当てるように誘導報知し、ステップＳ１２では加速度センサ１１が心臓の鼓動を検出したか否かを判断する。そして、ステップＳ１２の答が肯定（Ｙｅｓ）になると、ステップＳ１３に進み、気圧センサ２１で鼓動検出位置、すなわち心臓位置での気圧データを直接読込み、記憶部１３に格納する。
【００７３】
次いで、ステップＳ１４では、傾斜センサ１２が、本体部１の姿勢は鉛直であることを示しているか否かを判断し、その答が肯定（Ｙｅｓ）になると、ステップＳ１５に進んで、本体部１を胸から離すように誘導報知し、続くステップＳ１６では、加速度センサ１１が心臓の鼓動を検出したか否かを判断し、その答が否定（Ｎｏ）になると、本体部１が胸から離れたと判断し、ステップＳ１７に進む。
【００７４】
そして、ステップＳ１７では、気圧センサ２１は本体部１が鼓動を検出した心臓位置と同一高さの気圧を示しているか否かを判断する。すなわち、現時点での気圧データとステップＳ１３で読み込まれた気圧データとを比較し、同一の場合は、気圧センサ２１は本体部１が心臓位置と同一高さを示していると判断する。
【００７５】
その結果、ステップＳ１７の答が肯定（Ｙｅｓ）の場合は、ステップＳ１９に進み、測定／停止ボタン６を押し、第１〜第３の実施の形態と同様の方法で血圧測定を行う。
【００７６】
一方、ステップＳ１７の答が否定（Ｎｏ）の場合は、ステップＳ１８に進み、「血圧計と心臓の高さを同じにしてください。」という文字列を表示部８に表示し、ステップＳ１７に戻る。そして、本体部１の高さが心臓位置と同一高さの気圧となるまで、上記処理ステップを繰り返し、ステップＳ１７の答が肯定（Ｙｅｓ）になると、ステップＳ１９に進み、測定／停止ボタン６を押し、第１〜第３の実施の形態と同様の方法で血圧測定を実行する。
【００７７】
このように本第４の実施の形態では、傾斜センサに代えて気圧センサ２１で心臓位置を直接検出し、心臓位置と同一高さとなるように本体部１の高さ位置を調整した後、血圧測定を実行していることから、より正確に心臓位置で血圧を測定することができ、より高精度で血圧測定の信頼性をより一層向上させることが可能となる。
【００７８】
〔第５の実施の形態〕
図１１は、第５の実施の形態の制御手順を示すフローチャートである。
【００７９】
この第５の実施の形態では、本体部１に収容される構成部材は第４の実施の形態と同様であるが、仰向けに寝た状態で血圧を測定する場合を示している。
【００８０】
まず、図１の設定ボタン５を押してプログラムがスタートすると、ステップＳ２１で「仰向けに寝て血圧計を胸に当ててください」という文字列が表示部８に表示される。次いで、ステップＳ２２に進み、加速度センサ１１が心臓の鼓動を検出したか否かを判断する。そして、その答が否定（Ｎｏ）の場合は、加速度センサ１１が心臓の鼓動を検出するまで待機する一方、ステップＳ２２の答が肯定（Ｙｅｓ）の場合は、ステップＳ２３に進み、気圧センサ２１で鼓動を検出した心臓位置での気圧データを読込み、記憶部１３に格納する。
【００８１】
次いで、ステップＳ２４に進み、傾斜センサ１２は、本体部１の姿勢が水平であることを示しているか否かを判断し、その答が否定（Ｎｏ）のときは、ステップＳ２１に戻り、上述の動作を繰り返す。
【００８２】
一方、ステップＳ２４の答が肯定（Ｙｅｓ）の場合は、ステップＳ２５に進み、「血圧計を胸から離してください。」という文字列を表示部８に表示し、ステップＳ２６に進む。
【００８３】
このステップＳ２６では、加速度センサ１１が心臓の鼓動を検出したか否かを判断し、その答が肯定（Ｙｅｓ）の場合は、ステップＳ２５に戻る一方、ステップＳ２６の答が否定（Ｎｏ）の場合はステップＳ２７に進む。
【００８４】
このステップＳ２７では、気圧センサ２１は被測定者の心臓の高さと同一高さであることを示しているか否かを判断する。
【００８５】
すなわち、被測定者が仰臥状態にあるとき、心臓の高さ位置は被測定者の胸板の厚さだけ低位にあることから、胸部表面の高さ位置を基準に血圧測定すると、血圧値は実際の血圧よりも高くなる、したがって、被測定者が仰臥状態であっても、正確な血圧値を得るためには、斯かる胸板の厚さを考慮する必要がある。
【００８６】
そこで、本第５の実施の形態では、予め別途、被測定者の胸板の厚さ（例えば、１０ｃｍ）を測定しておき、ステップＳ２３で読み込んだ気圧データに胸部高さに相当する気圧を加算し、これを被測定者の心臓高さ位置と推定する。そして、この心臓高さ位置を示す気圧データと現時点での気圧データとを比較し、本体部１の高さ位置が心臓の高さ位置を示しているか否かを判断する。
【００８７】
ステップＳ２７の答が肯定（Ｙｅｓ）となって本体部１の高さ位置が心臓の高さ位置を示していると判断された場合は、ステップＳ２９に進んで測定／停止ボタン６を押し、第１の実施の形態と同様の方法で血圧測定を行う。
【００８８】
一方、ステップＳ２７の答が否定（Ｎｏ）の場合は、ステップＳ２８に進み、「血圧計と心臓の高さを同じにしてください。」という文字列を表示部８に表示し、ステップＳ２７に戻る。そして、本体部１の高さが心臓高さを示すようになるまで、上記処理ステップを繰り返す。そして、ステップＳ２７の答が肯定（Ｙｅｓ）になると、ステップＳ２９に進み、測定／停止ボタン６を押し、第１の実施の形態と同様の方法で血圧測定を実行する。
【００８９】
このように本第５の実施の形態のように、仰臥した姿勢であっても、傾斜センサ１２で本体部１の姿勢を調整した後、気圧センサ２１で心臓の高さが鼓動検出位置と同一高さとなるように調整することができ、より高精度で正確な血圧の測定が可能となる。
【００９０】
〔第６の実施の形態〕
上記第１〜第５の実施の形態では、いずれも心臓の鼓動検出時の傾斜センサ又は気圧センサの検出データに基づき本体部１の姿勢や高さ位置を調整していたが、本第６の実施の形態では  任意の姿勢で血圧測定を行い、測定データを心臓の鼓動検出時における傾斜センサや気圧センサの検出データに基づき、血圧測定値を補正している。
【００９１】
図１２は、第６の実施の形態の制御手順を示すフローチャートである。
【００９２】
すなわち、図１の設定ボタン５を押してプログラムがスタートすると、ステップＳ３１では、「血圧計を胸に当ててください」という文字列が表示部８に表示される。続くステップＳ３２では、加速度センサ１１が心臓の鼓動を検出したか否かを判断する。そして、その答が否定（Ｎｏ）の場合は、加速度センサ１１が心臓の鼓動を検出するまで待機する一方、ステップＳ３２の答が肯定（Ｙｅｓ）の場合は、ステップＳ３３に進み、傾斜センサ１２で本体部１の傾斜データ（姿勢データ）を読込み、さらに気圧センサ２１で心臓の高さ位置を示す気圧データを読込み、これら傾斜センサ１２及び気圧センサ２１の各検出データを記憶部１３に格納する。
【００９３】
そして、ステップＳ３４に進み、「血圧計を胸から離してください。」という文字列を表示部８に表示し、ステップＳ３５に進む。
【００９４】
次いで、このステップＳ３５では、加速度センサ１１が心臓の鼓動を検出したか否かを判断し、その答が肯定（Ｙｅｓ）の場合は、ステップＳ３４に戻る一方、ステップＳ３５の答が否定（Ｎｏ）の場合は、ステップＳ３６に進み、測定／停止ボタン６を押して血圧を測定し、測定結果を記憶部１３に格納する。
【００９５】
次いで、ステップＳ３７に進み、ステップＳ３３で読み込まれた傾斜データ及び気圧データに基づいて血圧測定値を補正し、ステップＳ３８で補正された血圧値を表示部８に表示し、測定／停止ボタン６を押して処理を終了する。
【００９６】
この本第６の実施の形態のように、任意の姿勢で血圧測定を行い、測定データを傾斜センサ又は気圧センサの測定結果に基づき、血圧測定値を補正することによっても、より正確な血圧測定が可能となり、測定結果の信頼性向上を図ることができる。
【００９７】
尚、本発明は上記第１〜第６の実施の形態に限定されるものではなく、本発明の要旨を逸脱しない範囲で変形可能なことはいうまでもない。例えば、上記第６の実施の形態では、心臓高さの位置補正を気圧センサ２１の検出データに基づいて補正しているが、傾斜センサ１２で本体部１の姿勢及び心臓の高さ位置を検出するようにし、気圧センサを省略してもよい。
【００９８】
また、上記実施の形態では、操作部７や表示部８を本体部１に設けているが、別途筐体を設け、無線通信等によって指示したり測定結果を送受信するようにしてもよく、例えば、スマートフォン等の携帯端末を操作部や表示部として用いるものも好ましい。
【産業上の利用可能性】
【００９９】
心臓の鼓動を検出し、その情報に基づいて血圧計の姿勢や高さ位置の調整を指示したり、血圧を補正し、これにより手首式血圧計であっても、正確な血圧値の測定を行い、信頼性の向上を図る。
【符号の説明】
【０１００】
１  本体部
２  カフ
８  表示部
１０  圧力センサ
１１  加速度センサ
１２  傾斜センサ
１５  制御部
１７  カフ
１８  圧電フィルム（圧電体）
２１  気圧センサ
【図１】
2014233529.tif 000003
【図２】
2014233529.tif 000004
【図３】
2014233529.tif 000005
【図４】
2014233529.tif 000006
【図５】
2014233529.tif 000007
【図６】
2014233529.tif 000008
【図７】
2014233529.tif 000009
【図８】
2014233529.tif 000010
【図９】
2014233529.tif 000011
【図１０】
2014233529.tif 000012
【図１１】
2014233529.tif 000013
【図１２】
2014233529.tif 000014